(57)【要約】【課題】  ソーラーセルを時計ムーブメントに取り付けるために、フック部を備えた金属板にソーラーセルを両面テープで貼り付けて一体化した物や、プラスチック等からなりフック部を備えたソーラーセル支持枠にソーラーセルを組み込んで一体化した物などを、それぞれムーブメントのフック係合部に係合させて取り付けていた。このため、貼付けコスト、部品コストがかっていたため、ソーラーセルの時計ムーブメントへの固定構造のコストダウンを提供する。【解決手段】  ソーラーセル１０の外周の少なくとも一部に弾性変形の可能なガイド部１０ｃを設け、該ガイド部１０ｃを弾性変形させて時計ムーブメント１の外周に設けた壁部８ｇに組み込むことにより、ガイド部１０ｃの弾性力によってソーラーセル１０を時計ムーブメント１に保持固定する。【選択図】      図１  
2005098711.tif 000002
【特許請求の範囲】
【請求項１】
ソーラーセルと、該ソーラーセルからのエネルギーにより駆動される時計ムーブメントとで構成されたソーラーセル付電子時計において、前記ソーラーセルの外周の少なくとも一部に弾性変形の可能なガイド部を設け、該ガイド部を弾性変形させて前記時計ムーブメントの外周に設けた壁部に組み込むことにより、前記ガイド部の弾性力によって前記ソーラーセルを前記時計ムーブメントに保持固定することを特徴とするソーラーセル付電子時計。
【請求項２】
前記時計ムーブメントの外周に設けた壁部に庇部を設け、前記ソーラーセルの断面方向の保持を行なうことを特徴とする請求項１に記載のソーラーセル付電子時計。
【請求項３】
前記ソーラーセルは、フィルム材を基材とし、弾性を備えたソーラーセルあることを特徴とする請求項１又は請求項２に記載のソーラーセル付電子時計。
【請求項４】
前記ソーラーセルと前記時計モジュールの回路基板との電気的接続手段はコイルバネであり、該コイルバネと前記ソーラーセルとの電気的接続は、前記コイルバネのピッチ部に前記ソーラーセルの電極電極端子部部を差し込むことにより行なわれることを特徴とする請求項１乃至請求項３のいずれかに記載のソーラーセル付電子時計。
【発明の詳細な説明】
【技術分野】
【０００１】
本発明は、充電機能を備えたソーラーセル付電子時計のソーラーセルの時計ムーブメントへの固定構造に関する。
【背景技術】
【０００２】
従来のソーラーセル付電子時計のソーラーセルの時計ムーブメントへの固定構造は、フック部を備えた金属板に両面テープ等でソーラーセルを貼付し、ムーブメントのフック係合部に金属板のフックを係合させて、ソーラーセルをムーブメントに保持固定している（例えば、特許文献１参照。）。
【０００３】
また、プラスチック等から成り、フック部を備えたソーラーセル支持枠にソーラーセルを組み込み、ムーブメントのフック係合部にソーラーセル支持枠のフックを係合させて、ソーラーセルをムーブメントに保持固定している例もある（例えば、特許文献２参照。）。
【０００４】
【特許文献１】国際公開第００／０３３１０号パンフレット（第８頁〜第９頁、第１図、第２図）
【特許文献２】特開２００２−２２８５６号公報（第３頁、第１図）
【０００５】
以下に図面を用いて従来の技術を説明する。図６は、フック部を備えた金属板を用いてソーラーセルをムーブメントに保持固定している、第一の従来例を示すソーラーセル付電子時計の部分断面図であり、図７はその平面図である。図において、１はソーラーセルからのエネルギーにより駆動される時計ムーブメント、３は金属製の地板、４は金属製の輪列受である。５はステップモータにより運針する輪列ブロック（詳細な図示説明は省略）で、回路基板６からの基準信号より秒針７ａ、分針７ｂ、時針７ｃを運針させる。５８はプラスチック製の回路支持台であり、固定ネジ９により輪列ブロック５、回路基板６とともに地板３と輪列受４に挟み込まれる積層構造にて固定される。
【０００６】
５０は金属板を基材としたソーラーセルであり、近年では、フィルム材を基材とし、弾性を備えたソーラーセルも使用されている。１２は薄い金属板であり、ソーラーセル５０は金属板１２に両面に粘着性を持った絶縁性の両面テープ１１にて貼付けることにより固定されている。両面テープ１１の替わりに接着材を用いて固定している例もある。金属板１２はフック部１２ａが回路支持台５８のフック係合部５８ａと係合することにより、時計ムーブメント１に固定され、ソーラーセル５０も金属板１２にテープ１１にて固定されていることから時計ムーブメント１に固定される。１６は時計ムーブメントをケースに位置決め固定するための中枠として機能する文字板固定枠である。
【０００７】
図８はソーラーセル５０と回路基板６の導通を示す要部断面図である。図において、１３は導通テープであり、ソーラーセル５０の上面にある電極端子部１０ａに異方性導電膜を介して熱圧着されており、板バネ１４と接点を取る導通テープ１３の接点部１３ａはソーラーセル５０の下面側へ折り込まれており、板バネ１４は導通テープ１３と回路基板６との導通を取っている。
【０００８】
図９は、ソーラーセルをソーラーセル支持枠に組み込んでムーブメントに保持固定している、第二の従来例を示すソーラーセル付電子時計の部分断面図であり、図１０はその平面図である。第一の従来技術と同様に、輪列ブロック５はステップモータにより駆動し、
回路基板６の基準信号より各指針７ａ〜７ｃは運針し、固定ネジ９により各部品が積層構造にて固定される。
【０００９】
２０はプラスチック製のソーラーセル支持枠であり、図１２は、図１１内に４ヶ所存在するソーラーセル支持枠の凸部２０ａ部分を拡大したソーラーセルの位置決めを示す要部平面図、図１２はその部分の断面図であり、ソーラーセルのソーラーセル支持枠への固定を示す要部断面図である。図において、ソーラーセル６０の凹部６０ａとソーラーセル支持枠２０の凸部２０ａとの凹凸の関係から平面位置決めされ、図１２において、ソーラーセル６０はソーラーセル支持枠２０の第一フック部２０ｂに抱え込まれることにより固定される。
【００１０】
これにより、ソーラーセル６０はソーラーセル支持枠２０に位置決め固定されている。ソーラーセル支持枠２０は第二フック部２０ｃが回路支持台６８のフック係合部６８ａと係合することにより、時計ムーブメント１に固定され、ソーラーセル６０もソーラーセル支持枠２０に固定されていることから時計ムーブメント１に固定される。またソーラーセルと回路基板の導通の取り方は第一従来例と同様となっている。
【発明の開示】
【発明が解決しようとする課題】
【００１１】
このように従来の技術では、時計ムーブメントにソーラーセル５０を取り付けるために金属板１２や両面テープ１１を使用するため、貼付けコスト、部品コストがかかっていた。また、ソーラーセル支持枠２０を使用する構造においても、ソーラーセル支持枠２０を必要とするため、同様に部品コストがかかるという課題があった。本発明の目的は、上述の欠点を解消する、ソーラーセルの時計ムーブメントへの固定構造のコストダウンを提供することである。
【課題を解決するための手段】
【００１２】
本発明は、上記目的を達成するため、ソーラーセルと、該ソーラーセルからのエネルギーにより駆動される時計ムーブメントとで構成されたソーラーセル付電子時計において、前記ソーラーセルの外周の少なくとも一部に弾性変形の可能なガイド部を設け、該ガイド部を弾性変形させて前記時計ムーブメントの外周に設けた壁部に組み込むことにより、前記ガイド部の弾性力によって前記ソーラーセルを前記時計ムーブメントに保持固定することを特徴とする。
【００１３】
このように構成すると、ソーラーセルを保持固定するにあたって従来のようなソーラーセルを貼付けするための金属板や両面テープ、または、ソーラーセル支持枠といった別部材を使用する必要もなく、また、金属板への貼付けといった作業もなくなり、時計ムーブメントの外周に壁部を設けるだけで、ガイド部の弾性力によってソーラーセルを時計ムーブメントに保持固定することができる。すなわち、組み立て工数の削減や部品点数の削減が可能となり、コストダウンを図ることができる。
【００１４】
また、時計ムーブメントの外周に設けた壁部に庇部を設け、前記ソーラーセルの断面方向の保持を行なうことを特徴とする。
【００１５】
このように構成すると、庇部にソーラーセルのガイド部に入れるだけで、単にソーラーセルの断面方向の保持が可能となる。
【００１６】
また、前記ソーラーセルは、フィルム材を基材とし、弾性を備えたソーラーセルあることを特徴とする。
【００１７】
このように構成すると、基材がフィルム材であるため、弾性変形しやすく、時計ムーブメントへの組み込み性が向上する。
【００１８】
また、前記ソーラーセルと前記時計ムーブメントの回路基板との電気的接続手段はコイルバネであり、該コイルバネと前記ソーラーセルとの電気的接続は、前記コイルバネのピッチ部に前記ソーラーセルの電極端子部を差し込むことにより行なわれることを特徴とする。
【００１９】
このように構成すると、コイルバネのピッチ部にソーラーセルの電極端子部を差し込むだけの単純な構造となり、コイルバネとソーラーセルとの電気的接続が非常に簡単となり、ソーラーセルの電極端子部の配置面も上下面に自由に配置できる。  
【発明の効果】
【００２０】
上記のごとく本発明によれば、ムーブメントに構成された庇部でソーラーセルを固定するため、ソーラーセルを貼付けするための金属板や両面テープ、または、ソーラーセル支持枠といった部品を必要としなくなり、部品削減によるコストダウンの効果が得られる。更には、金属板への貼付けといった作業もなくなるため、組み立て工数が削減されるなど、更なるコストダウンの効果がある。
【発明を実施するための最良の形態】
【００２１】
以下、本発明の実施例を図面に基づいて詳述する。図１は、実施例１のソーラーセルの固定構造を示すソーラーセル付電子時計の時計ムーブメントの要部断面図、図２は図1の平面図で、図３はソーラーセルと回路基板の導通を示すソーラーセル付電子時計の時計ムーブメントの要部断面図である。
【実施例１】
【００２２】
１はソーラーセルからのエネルギーにより駆動される時計ムーブメント、３は金属製の地板、４は金属製の輪列受である。５はステップモータにより運針する輪列ブロック（詳細な図示説明は省略）で、回路基板６からの基準信号より秒針７ａ、分針７ｂ、時針７ｃを運針させる。８はプラスチック製の回路支持台であり、固定ネジ９により輪列ブロック５、回路基板６とともに地板３と輪列受４に挟み込まれる積層構造にて固定される。
【００２３】
１０はフィルム材を基材とし、弾性を備えたソーラーセルで、ソーラーセル１０には外周の少なくとも一部に弾性変形の可能なガイド部１０ｃが設けられている。８ｃは前記時計ムーブメント１の回路支持台８の外周に設けた壁部８ｇに設けた庇部で、ソーラーセル１０は回路支持台８の上に載置され、ソーラーセル１０のガイド部１０ｃが回路支持台８の庇部８ｃの下に差し込まれ、断面方向への保持固定がされる。平面方向へのガイドは回路支持台８のボス８ｅによってガイドされている。
【００２４】
３１は前記ソーラーセル１０と前記時計モジュール１の回路基板６との電気的接続手段であるコイルバネであり、コイルバネ３１は、回路基板６の上に載置されており、回路支持台８のガイド穴８ｆによって平面方向がガイドされ、上方向への保持は電極端子部庇部８ｄによって保持されている。コイルバネ３１と前記ソーラーセル１０との電気的接続は、コイルバネ３１のピッチ部３１ａにソーラーセル１０の電極端子部１０ｄを差し込むことにより行なわれている。これにより、ソーラーセル１０の電極端子部１０ｄを、ソーラーセル１０の上下面どちらに形成しても電気的接続が可能となっている。
【００２５】
ソーラーセル１０の上側には文字板３０が構成され、文字板３０は文字板固定枠１６によって保持固定されている。
【００２６】
ソーラーセル１０の組み込みは、ソーラーセル１０の弾性を活かして傘状に変形させ、ガイド部１０ｃと電極端子部１０ｄを回路支持台８の庇部８ｃと電極端子庇部８ｄにそれぞれ差し込んで組み込む。本実施例では、庇部８ｃは４ヵ所存在しているため、ソーラーセル１０の断面方向への保持は充分なものとなっており、同様に平面方向へのガイドについても、ボス８ｅが４ヵ所存在しているので充分なものとなっている。なお、ボス８ｅは４ヵ所存在しているが、対角上に２ヵ所だけの存在でも同様の効果が得られる。また、本実施例では、庇部８ｃは４ヵ所としたが、これに限定されるものではなく、３ヶ所以上あれば十分であり、時計ムーブメント１の構造によりその数を適宜選択すれば良い。
【００２７】
以上のように、実施例１によれば、ソーラーセルを保持固定するにあたって従来のようなソーラーセルを貼付けするための金属板や両面テープ、または、ソーラーセル支持枠といった別部材を使用する必要もなく、また、金属板への貼付けといった作業もなくなり、庇部にソーラーセルのガイド部に入れるだけで、単にソーラーセルの断面方向の保持が可能となる。この時、基材がフィルム材であるため、弾性変形しやすく、時計ムーブメントへの組み込み性が良い。また、コイルバネのピッチ部にソーラーセルの電極端子部を差し込むだけの単純な構造となり、コイルバネとソーラーセルとの電気的接続が非常に簡単となり、ソーラーセルの電極端子部の配置面も上下面に自由に配置できる。
【実施例２】
【００２８】
図４は実施例２のソーラーセルの固定構造を示すソーラーセル付電子時計の時計ムーブメントの平面図である。なお、実施例２は、実施例１に対してソーラーセルの組み込み方法を変更したものであり、構成については実施例１と同様である。
【００２９】
ソーラーセル８０の組み込みは、ソーラーセル８０を反時計方向へ１０°程度回転させた状態でムーブメント上に載置し、その後、ソーラーセル８０を時計方向へ１０°程度回転させ、ソーラーセル８０のガイド部８０ｃと電極端子部８０ｄを回路支持台８８の庇部８８ｃと電極端子庇部８８ｄの下にそれぞれ差し込む。ソーラーセル８０の断面方向への保持及び平面方向へのガイドについては実施例１と同様である。
【００３０】
以上のように、実施例２によれば、ソーラーセル８０を回転させて組み込むため、ソーラーセル８０の弾性が低く、比較的剛性の高いソーラーセルを使用する場合に効果がある。
【実施例３】
【００３１】
図５は実施例３のソーラーセルの固定構造を示すソーラーセル付電子時計の時計ムーブメントの要部断面図である。なお、実施例３は、実施例１に対してソーラーセルの固定構造を変更したものであり、他の構成については実施例１と同様である。
【００３２】
回路支持台７８にはリング状の壁部７８ｇが構成されている。ソーラーセル７０は弾性を有し、外周部にはリング状の壁部７８ｇの内径より少し大きいガイド部７０ｅを有しており、リング状の壁部７８ｇに対して上から押し込んで組み込むことにより、ガイド部７０ｅが変形し、リング状の壁部７８ｇを横方向へ押し付けた状態となりソーラーセル７０が保持固定される。
【００３３】
以上のように、実施例３では、ソーラーセル７０の外周部７０ｅの押し付け力によってソーラーセル７０が保持固定されるため、庇部等が不要となり、回路支持台形状の簡素化が図れる。更には、ソーラーセル７０を回路支持台７８に押し込むだけの組み込み方法のため、組み込み性が向上されるなどの効果がある。
【図面の簡単な説明】
【００３４】
【図１】本発明の実施例１のソーラーセルの固定構造を示すソーラーセル付電子時計の時計ムーブメントの要部断面図である。
【図２】図１の平面図である。
【図３】本発明の実施例１のソーラーセルと回路基板の導通を示すソーラーセル付電子時計の時計ムーブメントの要部断面図である。
【図４】本発明の実施例２のソーラーセルの固定構造を示すソーラーセル付電子時計の時計ムーブメントの平面図である。
【図５】本発明の実施例３のソーラーセルの固定構造を示すソーラーセル付電子時計の時計ムーブメントの要部断面図である。
【図６】第一の従来例のソーラーセル付時計の部分断面図である。
【図７】図６の平面図である。
【図８】第一の従来例のソーラーセルと回路基板の導通を示す要部断面図である。
【図９】第二の従来例のソーラーセル付時計の部分断面図である。
【図１０】図９の平面図である。
【図１１】第二の従来例のソーラーセルの位置決めを示す要部平面図である。
【図１２】第二の従来例のソーラーセルのソーラーセル支持枠への固定を示す要部断面図である。
【符号の説明】
【００３５】
１  時計ムーブメント  
３  地板
４  輪列受
５  輪列ブロック
６  回路基板
７  指針
８、５８、６８、７８、８８  回路支持台
８ｃ、８８ｃ  庇部
８ｇ、７８ｇ  壁部
９  固定ネジ
１０、５０、６０、７０、８０  ソーラーセル
１０ｃ、７０ｅ、８０ｃ  ガイド部
１６  文字板固定枠
２０  ソーラーセル支持枠
３０  文字板
３１  コイルバネ
【図１】
2005098711.tif 000003
【図２】
2005098711.tif 000004
【図３】
2005098711.tif 000005
【図４】
2005098711.tif 000006
【図５】
2005098711.tif 000007
【図６】
2005098711.tif 000008
【図７】
2005098711.tif 000009
【図８】
2005098711.tif 000010
【図９】
2005098711.tif 000011
【図１０】
2005098711.tif 000012
【図１１】
2005098711.tif 000013
【図１２】
2005098711.tif 000014